(57)【特許請求の範囲】
【請求項１】
開口を有し修正液を収容するボトル及び修正液アプリケータよりなり、前記アプリケータは、（ａ）キャップ、（ｂ）前記キャップから前記開口を通して延びている剛性の柄、（ｃ）前記柄の端部に結合された、前記柄の長さよりも短い接続部材、及び（ｄ）前記接続部材に支持された修正液吸収性の多孔性材料の先端部材より構成され、前記接続部材は、前記アプリケータの先端部材が紙表面に接して移動するとき、前記先端部材が前記柄と実質的に整列した正規の位置から前記柄に対してほぼ９０°の位置まで傾斜できるように、弾性的に撓むことができる、修正液塗布装置。
【請求項２】
前記接続部材は、前記柄に関して旋回可能な軸線を画定する請求項１に記載の修正液塗布装置。
【請求項３】
前記接続部材は、前記柄の軸線を含む１つの平面内にのみ前記アプリケータ先端部材の撓みを可能にする請求項１に記載の修正液塗布装置。
【請求項４】
前記接続部材は、ほぼ平坦な部分を有する請求項１に記載の修正液塗布装置。
【請求項５】
前記接続部材は、弾性的な可撓性を有する材料のロッドよりなる請求項１に記載の修正液塗布装置。
【請求項６】
前記弾性的に撓みうる接続部材は、前記柄と一体である請求項１に記載の修正液塗布装置。
【請求項７】
前記接続部材は、前記柄の端部の穴に固定されたルート部分を有する請求項１に記載の修正液塗布装置。
【請求項８】
前記アプリケータ先端部材は、前記弾性的に撓みうる接続部品に取り付けられたフォーム部材を有する請求項１に記載の修正液塗布装置。
【請求項９】
前記先端部材は、前記弾性的に撓みうる接続部材と一体である請求項１に記載の修正液塗布装置。
【請求項１０】
開口を有し修正液を収容するボトル及び修正液アプリケータよりなり、前記アプリケータは、（ａ）キャップ、（ｂ）前記キャップから前記開口を通して延びている剛性の柄、（ｃ）前記柄の端部に結合された、前記柄の長さよりも短い接続部材、及び（ｄ）前記接続部材に支持された修正液吸収性の多孔性材料の先端部材より構成され、前記接続部材は、前記アプリケータの先端部材が紙表面に接して移動するとき、前記先端部材が前記柄と実質的に整列した正規の位置から前記柄に対して傾斜する位置まで傾斜できるように、弾性的に撓むことができる、修正液塗布装置。
【請求項１１】
開口を有し修正液を収容するボトル及び修正液アプリケータよりなり、前記アプリケータは、（ａ）キャップ、（ｂ）前記キャップから前記開口を通して延びている剛性の柄、（ｃ）前記柄の端部に結合された、前記柄の長さよりも短い接続部材、及び（ｄ）前記接続部材に支持された修正液吸収性の多孔性材料の先端部材より構成され、前記接続部材は、前記アプリケータの先端部材が紙表面に接して移動するとき、弾性的に撓むことができる修正液塗布装置。
【発明の詳細な説明】
本発明は、タイプまたは筆記したものの誤りの修正を容易にするために修正液を紙の表面に塗布するアプリケータを備えた修正液塗布装置に関する。
キャップの下側から伸びる剛性の柄、及び柄の自由端に支持されたブラシの如き塗布部材を備えたアプリケータを組み込んだキャップが設けられたボトルに修正液を満たすことは知られている。キャップを保持して、ブラシをボトルに収容された液体に浸け、少量の液体をピックアップし、ブラシを紙のシートの表面に当てることによって修正液のかなり広い帯域、すなわちストライプを紙の上に堆積することができる。
キャップは、使用していないとき、例えば、ねじ係合接続によって、ボトルの開口部に固定され、アプリケータは、ボトル内に収納される。公知のアプリケータは、概してよく作動する。
しかしながら、ブラシを使用して少なくとも１回の行程で短い言葉全体または１つの言葉以上にわたってカバーしようとするとき、紙に沿った短い距離にわたって一様な厚さと幅の液体のストライプを設定するのは困難である。その結果、しばしば、紙に沿ってブラシを何回か動かす必要があり、これは不便である。
本発明によれば、アプリケータの先端部材が紙の表面にわたって動かされるとき、弾性的にたわむことができる１つの部品によってほぼ剛性の柄の端部に接続されたアプリケータ先端部材を有する、液体を紙の表面に塗布するアプリケータを備えた修正液塗布装置が提供される。
より詳しくは、本発明は、開口を有し修正液を収容するボトル及び修正液アプリケータよりなり、前記アプリケータは、（ａ）キャップ、（ｂ）前記キャップから前記開口を通して延びている剛性の柄、（ｃ）前記柄の端部に結合された、前記柄の長さよりも短い接続部材、及び（ｄ）前記接続部材に支持された修正液吸収性の多孔性材料の先端部材より構成され、前記接続部材は、前記アプリケータの先端部材が紙表面に接して移動するとき、前記先端部材が前記柄と実質的に整列した正規の位置から傾斜角度に傾斜できるように、好ましくは前記柄に対してほぼ９０°の位置まで傾斜できるように、弾性的に撓みうる、修正液塗布装置を提供する。
アプリケータの先端部材は、例えば、びんに収容された液体の本体に浸けられるとき、アプリケータの先端部材が表面に当てられるまで、液体の一部を吸収し、液体の部分を保持することができる。アプリケータの先端部材は、種々の方法で、例えば、接着剤、熱溶接または機械的固定によって弾性可撓性の接続部材に取り付けられた多孔性材料のパッドまたは成形部材、例えばフォームとして形成されることが有利である。またアプリケータの先端部材を多孔性材料から製造し、弾性可撓性部材と一体的に形成することが可能である。
弾性可撓性部材は、柄と一体的であることができ、または例えば、柄の端部に設けられた穴に挿入されるルート部分によって柄に可撓性を有するように固定される分離部品である。
弾性可撓性の接続部材は、いかなる方向にもたわむことができ、例えば、他の方向のたわみに対して、拘束されながら、柄に関してアプリケータの先端部材が回転することができる所定の軸線を画定するリビングヒンジのように使用することができる。
弾性可撓性の接続部材は、柄に整列した位置から柄に対してほぼ９０°の位置まで先端部材が傾斜するように撓みうることが好ましい。アプリケータの先端部材が、中立の行程動作で表面に適用されるとき、柄が表面に対して傾斜する角度を変化させ、アプリケータの先端部材が表面に対して押す力を増大させる傾向がある。しかしながら、本発明によるアプリケータによれば、アプリケータの先端部材は、接続部材による弾性によってたわむことができ、紙に対する力は、行程にわたってあまり変化しない。その結果、行程の最後に表面に分配される液体の速度は、行程の最初のものと余り異ならず、一様な液体のストライプが得られる。
本発明の完全な理解がいくつかの実施例の次の詳細な説明から得られ、添付図面の参照が行われる。
図１は、本発明を実施する第１のアプリケータを示す。
図２は、図１のアプリケータのアプリケータ先端部材のたわみ性能を示す。
図３は、図２と同様であるが、変形された構成を示す図である。
図４は、本発明を実施する他のアプリケータを示す。
図５は、図４のアプリケータの接続部材の側面図である。
図６は、図４及び図５の接続部材の正面図である。
図７は、図４の実施例のたわみ性能を示す図である。
図８は、軸線方向の断面の他のアプリケータ構造を示す図である。
図９ａ及び図９ｂは、図８の実施例のたわみ性能を示す図である。
図１０及び図１１は、可撓性接続部材に取り付けられたアプリケータ先端部材の各形態を備えた図８のアプリケータを示す。
図１２は、本発明を実施する他のアプリケータを示す軸線方向の断面図である。
図１３（ａ）及び図１３（ｂ）は、図１２のアプリケータのたわみ性能を示す。
図１及び図２に示す修正液アプリケータは、修正液ボトルキャップ２の下側に取り付けられ、その下側から軸線方向に突出しているほぼ剛性の柄１を有する。柄１の下端には、柄１と一体的に形成された接続部材３がある。
接続部材３は、この部材３の下方部分が柄と軸線方向に整合した正規の位置（図２Ａ状態）と、柄に対してほぼ９０°の位置（図２ｃ状態）との間で弾性的にたわむことができるたわみ点を画定する小径のくびれ部分４を有する。接続部材３には、開放セルフォームの成形先端部材５の形のアプリケータの先端部材が固定されており、この部材は、例えば、とがった先端でまたは平坦な刃状の縁部を備えた必要な形状である。このフォーム先端部材５は、接着剤によるような便利な方法で固定することができる。
使用中、先端部材は、修正液に浸けられ、その液のある部分を吸収する。先端部材が中間動作行程で表面に塗布され、移動され、先端部材が進むとき、接続部材３がたわみ、図２に示す順序（ａ）−（ｂ）−（ｃ）によって直線状態の正規の位置から先端部材を次第にたわませる。アプリケータが行程の最後に表面から持ち上げられたとき、接続部材３及び先端部材５は、接続部材の材料の弾性によってそれらの直線位置に戻る。またこの弾性は、先端部材が紙に対して均一な力で押され、それによって先端部材が紙の表面にわたって移動するとき、一定の速度で先端部材から液体を配分する際に補助となる。
図３に示すアプリケータは、図１及び図２のアプリケータと非常に類似しており、それは、接続部材が分離部材として形成され、柄１の端部に固定されているという点のみが異なる。有利には接続部材は、ルート６またはペグを含み、これは柄の端部に設けられためくら穴に適合され、固定される。
図４ないし図７は、図３と関連して説明されたと同じ方法で柄１に固定された分離接続部材を備えた他のアプリケータを示す。接続部材３は、平坦な刃の部分８を有し、その自由端縁部の周りでは、開放セルフォームのパッド９が先端部材を形成するように巻かれている。刃の断面は、その側縁で一対の対向ノッチ１０を含み、このノッチ１０は、柄に関して弾性的にたわむ可撓性点を形成する。平坦な形状によって、リビングヒンジと同様、たわみが旋回軸線の周りで生じ、フォームパッド９は、旋回軸線の周り以外の他の方向に柄に対して移動しないように支持される。また、ノッチ１０は、フォームパッドの周りに結ばれたカラーまたはモノフィラメント１１を配置し、保持し、それを接続部材に固定するように作用する。もちろん、たわみの他の方法は、フォームパッドを固定するために使用することができる。
使用の際、図４ないし図６のアプリケータは、図１ないし図２と同じ方法で作用するが、この場合のアプリケータは、たわみが生じる旋同軸線が紙の表面上をフォームパッド等の先端部材の移動の方向を横断するような向きである必要がある。アプリケーションストロークの始めにおいて、フォームパッドは、図７Ａに示す柄に整列し、行程全体の最後において、図７Ｂに示すように、最初の位置に対して約９０°の位置である。
図８ないし図１１は、弾性可撓性の接続部材が、ゴム状材料または、焼結されたエチレンビニルアセテートのような適当な弾性プラスティックの直線ロッド１２からなることを示している。ロッドの断面は重要ではなく、円形、矩形または長方形が有利である。ロッドの一端は、剛性の柄１の端部に形成された穴に挿入され、柄及びロッドを横切るように通って挿入されるピン１３によって所定位置に支持される。ロッドの突出位置は、図９Ａ及び図９Ｂに示すように約９０°にわたって弾性的にたわむことができる。ロッドの突出部分には先端部材が支持されており、この先端部材は、接着剤または機械的な固定手段によってロッドに固定されるオープンセルフォームのパッド１４またはソックスのような従来の形の先端部材である。フォームによる先端部材は、図１０に示すような丸いか、または図１１に示すようなもっととがった所望の形状である。
図１２及び図１３のアプリケータは、図８ないし図１１と同じ構造であるが、アプリケータの先端部材１５及び柄に接続された弾性可撓性ロッド１２は、焼結スチレンビニルアセテート成形部材または鋳造部材のような一体のものとしてつくられる点が異なる。図１３Ａ及び１３Ｂは、弾性可撓性ロッド１２の可撓性を示し、先端部材が、柄と整列した正規位置に対してほぼ９０°の位置にたわむことができることを示している。
図８ないし図１３のアプリケータは、前の実施例と関連して上述したと同じ方法でたわむアプリケータの先端部材によって使用され、たわむ。
修正液の用途に関連して説明したが、本発明によるアプリケータは、接続部材によってアプリケータの先端部材に弾性たわみを提供することによって、ブラシの毛によって生じるようにアプリケータの先端部材が外側に広がることなく圧力を加えることができる。一様な液体のフィルムを適用することは、乾燥時間がフィルムのすべての点でほぼ一定であるという他の利点を有する。さらにアプリケータの先端部材のたわみによって、視界を改良し、アプリケータの使用上の精度を改良する。
【図１】
0004005133.tif 000002
【図２】
0004005133.tif 000003
【図３】
0004005133.tif 000004
【図４】
0004005133.tif 000005
【図５】
0004005133.tif 000006
【図６】
0004005133.tif 000007
【図７】
0004005133.tif 000008
【図８】
0004005133.tif 000009
【図９Ａ】
0004005133.tif 000010
【図９Ｂ】
0004005133.tif 000011
【図１０】
0004005133.tif 000012
【図１１】
0004005133.tif 000013
【図１２】
0004005133.tif 000014
【図１３Ａ】
0004005133.tif 000015
【図１３Ｂ】
0004005133.tif 000016